(57)【要約】      （修正有）【課題】  樹木などの障害物と無関係に、しかも、方向調節のできる縦型信号灯器 の支持装置を提供する。【解決手段】  中央部片２ａに側部片２ｂ，２ｂを相対設して構成した支持基枠２ を、前記側部片２ｂにおいてボルト６とこれに螺合したナット７によって支柱の腕 金に締付ける。該支持基枠２の前記側部片２ｂ，２ｂ間に介在させた支持杆３を、 枢支手段で前記側部片２ｂに回動可能に枢支させ、該枢支手段を中心とした円周上 にして前記側部片２ｂに前記枢支手段を介して相対設した長孔１０，１０に、前記 支持杆３を通じて調節ボルトの先端を貫通させて調節ナット１４を螺合する。【選択図】図３
2006185272.tif 000002
【特許請求の範囲】
【請求項１】
中央部片に側部片を相対設して構成した支持基枠を、前記側部片においてボルトとこれに螺合したナットによって支柱の横杆に締付け、該支持基枠の前記側部片間に介在させた支持杆を、枢支手段で前記側部片に回動可能に枢支させ、該枢支手段を中心とした円周上にして前記側部片に前記枢支手段を介して相対設した長孔に、前記支持杆を通じて調節ボルトの先端を貫通させて調節ナットを螺合すると共に、前記支持杆の上下両端に支持片を止着して相対設し、該支持片に透孔と該透孔を中心とする円周上に沿う長孔を設け、これら透孔と長孔に前記支持片間に介在させた信号灯器の上下両面にそれぞれ突設した一対の螺杆を貫通させ、各孔より突出する前記螺杆の先端にそれぞれナットを螺合した、縦型信号灯器の支持装置。
【発明の詳細な説明】
【技術分野】
【０００１】
本発明は、色灯が縦に並ぶ縦型信号灯器の支持装置に関するものである。
【背景技術】
【０００２】
色灯を縦方向に並列させた縦型信号灯器は、具体例を挙げるまでもなく、その形態上、支柱（真直ぐな）にバンド体等を用いて直接、取付けて設置しているのが一般である。
【発明の開示】
【発明が解決しようとする課題】
【０００３】
従来例は、樹木などの存在が色灯の視認を邪魔する際に用いることができず、また、支柱に直付けする構造のものであるから、上下方向や左右方向に色灯の向きを微妙に変えるには構造的に煩雑である。
【０００４】
本発明は、支柱に直接又は間接的に設けた腕金に取付けるようにして、前記従来例の欠点を普く除去した縦型信号灯器の支持装置を提供すべく創案したものである。
【課題を解決するための手段】
【０００５】
中央部片に側部片を相対設して構成した支持基枠を、前記側部片においてボルトとこれに螺合したナットによって支柱の横杆に締付け、該支持基枠の前記側部片間に介在させた支持杆を、枢支手段で前記側部片に回動可能に枢支させ、該枢支手段を中心とした円周上にして前記側部片に前記枢支手段を介して相対設した長孔に、前記支持杆を通じて調節ボルトの先端を貫通させて調節ナットを螺合すると共に、前記支持杆の上下両端に支持片を止着して相対設し、該支持片に透孔と該透孔を中心とする円周上に沿う長孔を設け、これら透孔と長孔に前記支持片間に介在させた信号灯器の上下両面にそれぞれ突設した一対の螺杆を貫通させ、各孔より突出する前記螺杆の先端にそれぞれナットを螺合した構成としたものである。
【発明の効果】
【０００６】
本発明は前記のとおり支柱の腕金に取付け設置する構造のものであるから、樹木などの存在と無関係に車道上に配することができ、実用的である。
【実施例】
【０００７】
図面は本発明に係る縦型信号灯器の支持装置の一実施例を示し、図１は正面図、図２は平面図、図３は図１の一部拡大図、図４は一部拡大底面図、図５は支承片の斜視図である。
【０００８】
実施例のものは、支柱の上部側を折り曲げて設けた横杆１に支持基枠２を取付け、該支持基枠２に取付けた支持杆３の上下に設けた支承片４，４Ａに信号灯器５を支持させるようにして、前記横杆１に一対の信号灯器５，５を取付け、支持させたものであるが、単一な信号灯器５を横杆１に取付けるものとしても良いし、横杆１は支柱に、例えば片持ち状に取付けた腕金を適用するものであっても良い。
【０００９】
実施例の場合は、一対の支持基枠２，２を前記横杆１を介してボルト６と該ボルト６に螺合したナット７によって横杆１に締付け、固定し、一対の信号灯器５，５をほぼ互いに反対方向に向けて配設したものである。
【００１０】
支持基枠２は、中央部片２ａと該中央部片２ａの一側に相対説した側部片２ｂ，２ｂとで成るコ形枠体で成り、この支持基枠２の中央部片２ａには外面側の長手方向（縦方向）の中央部位において凹入部を、また、この凹入部を介する両側に前記ボルト６を貫通させる組付孔８を、それぞれ設け、側部片２ｂには、その自由端の一側に、側部片２ｂ，２ｂ間において相対する方向に突出する係合突子９を設け、この係合突子９を介する両側にはこの係合突子９を中心とした円周上に位置する長孔１０，１０を相対設したものである。
【００１１】
そして、支持基枠２は、中央部片２ａに備えた凹入部に円筒体で成る横杆１を部分的に係合するようにして一対の支持基枠２，２を該横杆１を介して相対して配置し、相対する各支持基枠２の中央部片２ａに設けた細付孔８，８にボルト６を貫通させ、一方の組付孔８（一方の支持基枠２の中央部片２ａ）より突出するボルト６先端に前記ナット７を螺合、締付けるようにして、横杆１に相対して取付けてある。
【００１２】
前記支持杆３は、方形筒体で成り、該長手方向（縦方向）の中央部に前記突子９が同軸上にして係合する凹陥部１１を設け、該凹陥部１１を介する両側に前記側部片２ｂ側に設けた長孔１０と一致する位置にして透孔１２，１２を設けたもので、支持基枠２の側部片２ｂ，２ｂ間に、側部片２ｂ側の突子９が凹陥部１１に回動自在に係合するようにして介在させ、互いに一致する長孔１０と透孔１２に調節ボルト１３を貫通させ、一方の側部片２ｂより突出する該ボルト１３の先端に調節ナット１４を螺合するようにして前記支持基枠２に取付けてある。
【００１３】
前記支持片４，４Ａは、中央の支持部片４´，４´Ａに側部片４´´，４´´Ａを相対して突設して構成し、側部片４´´，４´´、４´´Ａ，４´´Ａ間に前記支持杆３の端部を介在させてボルト１５とナット１６によって支持杆３の上下両端に組付けたもので、支持部片４´，４´Ａに設けた透孔１７と該透孔１７を中心とする円周上に設けた長孔１８のそれぞれに、信号灯器５に突設した螺杆１９，１９Ａを貫通させ、支持部片４´，４´Ａより突出する螺杆１９，１９Ａの先端にナット２０，２０Ａを螺合して前記信号灯器５を一方の螺杆１９を中心として回動可能に支持したものである。
【００１４】
しかして、実施例によれば、ナット７を緩めて横杆１の長手方向に沿ってボルト６とナット７で組付けた支持基枠２を移動させ、適宜の位置で緩めたナット７を締め付けると、該支持基枠２に伴って信号灯器５は移動、定置させることができるから、信号灯器５は横杆１の長手方向の自由な位置で設置することができる。
【００１５】
また、調節ナット１４を緩めて凹陥部１１に係合させた状態で係合突子９を中心にして上下方向に回動させるようにすると、信号灯器５は俯仰して地上面に対し、長孔１０の長さの範囲内で自由な角度に灯器５（色灯）の方向設定することができる。
【００１６】
さらに、実施例によれば、ナット２０，２０Ａを緩めて螺杆１９を中心に信号灯器５を横方向に回動させて長孔１８の長さの範囲内で灯器５の位置設定をし、緩めた前記ナット２０，２０Ａを締付けることにより通行路に合わせるようにして灯器５（色灯）の向きを設定することができるのである。
【図面の簡単な説明】
【００１７】
【図１】正面図。
【図２】平面図。
【図３】図１の一部拡大図。
【図４】一部拡大底面図。
【図５】支承片の斜視図。
【符号の説明】
【００１８】
１            横杆
２            支持基枠
２ａ          中央部片
２ｂ          側部片
３            支持杆
４，４Ａ      支持片
５            信号灯器
６            ボルト
７            ナット
１０          長孔
１３          調節ボルト
１４          調節ナット
１７          透孔
１８          長孔
１９，１９Ａ  螺杆
２０，２０Ａ  ナット
【図１】
2006185272.tif 000003
【図２】
2006185272.tif 000004
【図３】
2006185272.tif 000005
【図４】
2006185272.tif 000006
【図５】
2006185272.tif 000007